(57)【要約】【課題】ペーパーの折り重ね作用を確実ならしめて使用上の信頼性を確保し得るペーパーホルダーを提供する。【解決手段】ペーパー支持具４と巻戻し手段９と折り重ね手段１０と駆動手段８を備えたペーパーホルダーにおいて、折り重ね手段１０を、ガイド溝１３を設け且つ前後方向へ移動可能とされたスライダー１１と、該ガイド溝１３内に係入された状態で円運動をするガイドピン１７と、スライダー１１に固定された移動バー１６を備えて構成する。係る構成によれば、ペーパーＰａの折り重ね作用が、スライダー１１の最小移動速度領域で行われることからペーパーＰａは乱れ無く整然と折り重ねられるとともに、該ペーパーＰａと移動バー１６の間の摩擦抵抗が極めて小さくペーパーＰａの折り重ね作用が阻害されるということがなく、これらの相乗効果として、ペーパーの折り重ね作用が確実で、その使用上の信頼性の高いペーパーホルダーを得ることができる。【選択図】図２
2007144043.tif 000002
【特許請求の範囲】
【請求項１】
ペーパーロール（Ｐ）を巻き戻し可能に支持するペーパー支持具（４）と、上記ペーパーロール（Ｐ）からペーパー（Ｐａ）を巻き戻す巻戻し手段（９）と、巻き戻されたペーパー（Ｐａ）を折り重ねる折り重ね手段（１０）と、上記巻戻し手段（９）と折り重ね手段（１０）を駆動する駆動手段（８）を備えたペーパーホルダーであって、
上記折り重ね手段（１０）が、上下方向に延びるガイド溝（１３）を備え且つ前後方向へ移動可能とされたスライダー（１１）と、該ガイド溝（１３）内に係入された状態で円運動をするガイドピン（１７）と、上記ペーパーロール（Ｐ）から垂下するペーパー（Ｐａ）をその幅方向に横切るようにして上記スライダー（１１）に固定された移動バー（１６）を備えた構成であることを特徴とするペーパーホルダー．
【請求項２】
請求項１において、
上記巻戻し手段（９）が、回転駆動される回転体（２９）を上記ペーパーロール（Ｐ）の表面に押圧付勢して該ペーパーロール（Ｐ）を巻き戻し方向へ回転させる構成であることを特徴とするペーパーホルダー。
【請求項３】
請求項１において、
上記駆動手段（８）が、単一の回転軸（１９）の回転力を上記巻戻し手段（９）と折り重ね手段（１０）に伝達してこれら両者を連動して駆動させる構成であることを特徴とするペーパーホルダー。
【請求項４】
請求項１において、
上記スライダー（１１）に、上記ペーパー（Ｐａ）を切断するカッター（３４）が取付けられていることを特徴とするペーパーホルダー。
【発明の詳細な説明】
【技術分野】
【０００１】
本願発明は、トイレットペーパーをロール状に巻きとってなるペーパーロールを保持し、且つこれを所要数だけ折り重ねて取り出すことができるようにしたペーパーホルダーに関するものである。
【背景技術】
【０００２】
一般に、トイレットペーパーは、これをロール状に巻きとってなるペーパーロールとして市販され、需要者はこれを、トイレの壁面等に固定されたペーパーホルダーに取り付け、使用に際しては、ペーパーロールからペーパーを巻き戻し且つ所要長さに切り離してこれを使用するのが通例である。
【０００３】
この場合、ペーパーは、薄いことからこれを一枚で使用することは殆どなく、通常は、ペーパーを何重かに折り重ね、これをペーパーロール側から切り離して使用する。
【０００４】
ところで、ペーパーのペーパーロールからの切り離しは、該ペーパーが薄く切り離し易いこと、さらに近年は予め切り離し用のミシン目が付けられていることから、両手を使用せずとも、片手で容易に切り離すことができる。しかし、ペーパーロールから巻き戻されるペーパーを所要長さで何重かに折り重ねる作業は、これを片手で行うことは難しく、従って、両手を使ってペーパーの巻き戻しと折り重ねを行うのが通例である。
【０００５】
このように、ペーパーロールから巻き戻されるペーパーを所要長さで何重かに折り重ねる作業は、両手が自由に使える健常者の場合には何等問題はない。しかし、例えば、身体的な障害とか老齢のために両手を自由に使うことができない者（以下、「身体的弱者」という）にとって、上記作業は酷なものである。
【０００６】
このような事情を背景に、ペーパーロールから巻き戻されるペーパーを所要長さで何重かに折り重ねる作業を簡易化して、身体的弱者の負担を軽減し得るようにしたペーパーホルダーが提案されている（例えば、特許文献１，２参照）。
【０００７】
特許文献１に示されるものは、ペーパーロールを支持するペーパーホルダーの下側に、上記ペーパーロールからペーパーを巻き戻してさらに下方へ送るための送り手段と、ペーパーを所要位置で切断する切断手段と、順次送られるペーパーを多重に折り重ねる折重ね手段を、上下方向に順次配置して構成される。また、上記折重ね手段は、所定間隔をもって対向配置された一対の揺動板の中央下側に支持棒を配置し、ペーパーロールから巻き戻されて順次自由降下するペーパーを、上記一対の揺動板を交互に揺動させ、上記ペーパーを上記支持棒に対してその両側から交互に乗せ掛けてこれを多重状態に折り重ねるようにしている。従って、折り重ねられたペーパーは、上記支持棒に吊り下げられた状態となる。
【０００８】
特許文献２に示されるものは、ペーパーロールを支持するペーパーホルダーの下側に、上記ペーパーロールからペーパーを巻き戻してさらに下方へ送るための送り手段と、ペーパーを所要位置で切断する切断手段と、順次送られるペーパーを多重に折り重ねる折重ね手段と、折り重ねられたペーパーを保持する受け台を、上下方向に順次配置して構成される。また、上記折重ね手段は、自由降下するペーパーの近傍に支点をもち、該支点から上記ペーパーに沿うように鉛直下方へ垂下する位置と、上記ペーパーを前方へ押しやりながら上記支点から前上方へ回動した位置の間で揺動する揺動板を備えて構成され、上記揺動板の揺動によって、ペーパーロールから巻き戻されて順次自由降下するペーパーを揺動させ、上記ペーパーを前後方向に揺動させてこれを多重状態に折り重ねるようになっている。
【０００９】
【特許文献１】特開平１０−１７４６６５号公報
【特許文献２】特開平９−２７６１７８号公報。
【発明の開示】
【発明が解決しようとする課題】
【００１０】
ところが、特許文献１に示されるペーパーホルダーでは、所定間隔をもって対向配置された一対の揺動板の中央下側に支持棒を配置し、ペーパーロールから巻き戻されて順次自由降下するペーパーを、上記一対の揺動板を交互に揺動させ、上記ペーパーを上記支持棒に対してその両側から交互に乗せ掛けてこれを多重状態に折り重ねるようにしているが、上記支持棒の直上から自由降下するペーパーを上記一対の揺動板で該支持棒側へ寄せるものの、その折り返しは、単に上記ペーパーの降下作用を利用するのみであることから、折り返しの確実性が低く、場合によってはペーパーが一方の揺動板側に偏って滞ることが懸念され、折り重ね作用の確実性という点において問題がある。
【００１１】
また、引用文献２に示されるものは、ペーパーロールから巻き戻されて順次自由降下するペーパーを揺動する揺動板によって前後方向へ揺動させるものであるが、該揺動板とペーパーとの間の摩擦が大きく、自由降下するペーパーが揺動板上を滑り落ちるのが阻害され、場合によっては該揺動板上にペーパーが溜まり、これが一塊となって落下することが懸念されるなど、折り重ね作用の確実性という点において問題がある。
【００１２】
そこで、本願発明は、ペーパーの折り重ね作用を確実ならしめて使用上の信頼性を確保し得るペーパーホルダーを提供することを目的としてなされたものである。
【課題を解決するための手段】
【００１３】
本願発明では、上記課題を解決するために以下のような構成を採用している。
【００１４】
本願の第１の発明では、ペーパーロールＰを巻き戻し可能に支持するペーパー支持具４と、上記ペーパーロールＰからペーパーＰａを巻き戻す巻戻し手段９と、巻き戻されたペーパーＰａを折り重ねる折り重ね手段１０と、上記巻戻し手段９と折り重ね手段１０を駆動する駆動手段８を備えたペーパーホルダーにおいて、上記折り重ね手段１０を、上下方向に延びるガイド溝１３を設け且つ前後方向へ移動可能とされたスライダー１１と、該ガイド溝１３内に係入された状態で円運動をするガイドピン１７と、上記ペーパーロールＰから垂下するペーパーＰａをその幅方向に横切るようにして上記スライダー１１に固定された移動バー１６を備えて構成したことを特徴としている。
【００１５】
本願の第２の発明では、上記第１の発明に圧縮力駆動力ペーパーホルダーにおいて、上記巻戻し手段９を、回転駆動される回転体２９を上記ペーパーロールＰの表面に押圧付勢して該ペーパーロールＰを巻き戻し方向へ回転させる構成としたことを特徴としている。
【００１６】
本願の第３の発明では、上記第１の発明に圧縮力駆動力ペーパーホルダーにおいて、上記駆動手段８を、単一の回転軸１９の回転力を上記巻戻し手段９と折り重ね手段１０に伝達してこれら両者を連動して駆動させるように構成したことを特徴としている。
【００１７】
本願の第４の発明では、上記第１の発明に圧縮力駆動力ペーパーホルダーにおいて、上記スライダー１１に上記ペーパーＰａを切断するカッター３４が取付けられていることを特徴としている。
【発明の効果】
【００１８】
本願発明では次のような効果が得られる。
（ａ）本願の第１の発明に係るペーパーホルダーによれば、上記ペーパーロールＰから巻き戻されたペーパーＰａは、上記ガイドピン１７の円運動を受けて上記スライダー１１が前後方向へ移動するとき上記移動バー１６によって前後方向へ往復動されて順次折り重ねられるが、その場合、
第１に、この折り重ね作用が、上記スライダー１１の移動方向の両端寄りでその移動速度が最も小さい移動領域で行われることから、上記ペーパーＰａは乱れること無くその折り重ね部位において整然と折り重ねられる、
第２に、上記ペーパーＰａとこれに折り重ね作用を付与する上記移動バー１６の間における摩擦抵抗は、例えば、上掲の特許文献２にように平板で構成される揺動板を用いてペーパーＰａを揺動させるような場合に比して、極めて小さくこの摩擦抵抗によって上記ペーパーＰａの折り重ね作用が阻害されるということがなく、
これらの相乗効果として、ペーパーの折り重ね作用が確実で、その使用上の信頼性の高いペーパーホルダーを提供することができる。
【００１９】
（ｂ）本願の第２の発明に係るペーパーホルダーによれば、上記（ａ）に記載の効果に加えて、以下のような特有の効果が得られる。即ち、この発明では、上記巻戻し手段９を、回転駆動される回転体２９を上記ペーパーロールＰの表面に押圧付勢して該ペーパーロールＰを巻き戻し方向へ回転させる構成としているので、ペーパーＰａはペーパーロールＰの回転に伴って自由状態で順次巻き戻され、例えば、上記ペーパーロールＰに所定の巻き戻し抵抗を付与した状態で該ペーパーロールＰからペーパーＰａを引き出して巻き戻す場合において生じ得る、巻き戻し抵抗の過大に起因するペーパー切れとか、巻き戻し抵抗の過小に起因するペーパーの弛みが未然に防止され、ペーパーホルダーの使用上における信頼性がさらに向上することになる。
【００２０】
（ｃ）本願の第３の発明に係るペーパーホルダーによれば、上記（ａ）に記載の効果に加えて、以下のような特有の効果が得られる。即ち、この発明では、上記駆動手段８を、単一の回転軸１９の回転力を上記巻戻し手段９と折り重ね手段１０に伝達してこれら両者を連動して駆動させるように構成しているので、上記巻戻し手段９と折り重ね手段１０とのタイミング保持が確実となり、延いては、ペーパーの折り重ね作用の確実性がさらに向上することになる。
【００２１】
（ｄ）本願の第４の発明に係るペーパーホルダーによれば、上記（ａ）に記載の効果に加えて、以下のような特有の効果が得られる。即ち、この発明では、上記スライダー１１に上記ペーパーＰａを切断するカッター３４を取付けているので、上記スライダー１１がその移動範囲のどの位置において停止した場合でも、上記ペーパーＰａは常に上記カッター３４の近傍に位置することとなり、その結果、ペーパーＰａをカッター３４で容易且つ確実に切断することができ、ペーパーホルダーの使用上の利便性が向上する。
【発明を実施するための最良の形態】
【００２２】
以下、本願発明を好適な実施形態に基づいて具体的に説明する。
【００２３】
図１及び図２は、本願発明の実施形態に係るペーパーホルダー１を示している。このペーパーホルダー１は、本来的な機能であるペーパーロール４０の保持機能に加えて、ペーパーの巻戻し機能と折り重ね機能を備え、例えば、両手を自由に使うことが困難な身体的弱者であっても、ペーパーの巻き戻しと折り重ね、さらにその取り出しという一連の作業を片手で容易に行うことができるようにしたものであって、例えば、トイレの壁面に固定されるケース２を備えている。
【００２４】
上記ケース２は、略矩形状の外観形体をもつ樹脂成形品で構成され、左右一対の側面壁２aと上面から前面に跨る前面壁２ｂと背面壁２ｃを備えている。
【００２５】
上記前面壁２ｂの幅方向中央寄り部位から上面側にかけての部分は縦長の開口部６とされるとともに、該開口部６にはカバー５が取付けられている。このカバー５は、上記側面壁２aの外縁形状に沿うように屈曲した湾曲板で構成され、その後端がヒンジ３６を介して上記ケース２側に連結され、該ヒンジ３６を中心として、上記開口部６を閉蓋する閉蓋位置と、上方へ跳ね上げられて上記開口部６を開放する開蓋位置の間で回動可能とされている。
【００２６】
尚、この開口部６は、後述するペーパー支持具４にペーパーロールＰを着脱するペーパー装着口となる。また、上記ケース２の下面側には、板材をＬ字状に折曲してなるペーパー載置台３が取付けられている。
【００２７】
一方、上記ケース２の内室７の上部中央側には、上記開口部６に臨んでペーパー支持具４が取付けられている。このペーパー支持具４は、上記開口部６から差し入れられるペーパーロールＰを保持し、且つその巻き戻し回転を許容するものであって、上記ケース２の背面壁２ｃに取付けられて該背面壁２ｃから手前側へ延出する左右一対の側板４１ａ、４１ａをもつブラケット４１と、該各側板４１ａ、４１ａ側にそれぞれ配置されて上下方向（図示省略１の矢印Ｃ−Ｄ方向）に回動可能とされるとともに略水平位置から下方側への回動が規制された左右一対の支持爪４２，４２を備えて構成される。
【００２８】
そして、このペーパー支持具４は、上記各支持爪４２，４２によってペーパーロールＰをその巻芯部分で回転自在に支持し、ペーパーロールＰの使用を可能にする一方、該ペーパーロールＰの取替えは、新しいペーパーロールＰを上記開口部６から上記ケース２の内部に差し入れて、これによって使用済みのペーパーロールＰ（実際には、芯材）を突き上げて上記左右一対の支持爪４２，４２を矢印Ｃ方向へ回動させ、上記支持爪４２を使用済みのペーパーロールＰの芯材から新しいペーパーロールＰの芯材側へ係入替えすることで行われる。
【００２９】
さらに、上記ペーパー支持具４の上方側には次述する巻戻し手段９が、また上記ペーパー支持具４の下方側には後述する折り重ね手段１０が、それぞれ配置される一方、上記ケース２の内室７の幅方向一側寄りには後述の駆動手段８が配置されている。
【００３０】
巻戻し手段９の構成
上記巻戻し手段９は、上記ペーパー支持具４に保持されたペーパーロールＰからペーパーＰａを所定速度で順次巻き戻すものであって、上記ケース２の背面壁２ｃの幅方向両側部に配置された左右一対のブラケット３２，３３にそれぞれ揺動アーム２７，２８を取付けるとともに、該各揺動アーム２７，２８の先端部間に、その中間位置に筒状の回転体２９を介してゴムリング３０を装着した回転軸２６を支承させて構成される。また、上記各揺動アーム２７，２８と上記各ブラケット３２，３３の間にはそれぞれスプリング３５が張設され、該各揺動アーム２７，２８は、上記回転軸２６を上記ペーパー支持具４に支持されたペーパーロールＰの上面側に押圧させる方向に常時付勢されている。
【００３１】
従って、上記回転軸２６が後述する駆動手段８によって回転駆動されると、該回転軸２６に設けた上記ゴムリング３０が上記ペーパーロールＰの上面に押圧接触しながら回転し、上記ペーパーロールＰを巻き戻し方向へ回転させ、該ペーパーロールＰからペーパーＰａが順次巻き戻されることになる。
【００３２】
この場合、回転駆動される回転体２９を上記ペーパーロールＰの表面に押圧付勢して該ペーパーロールＰを巻き戻し方向へ回転させる構成としているので、ペーパーＰａはペーパーロールＰの回転に伴って自由状態で順次巻き戻され、例えば、上記ペーパーロールＰに所定の巻き戻し抵抗を付与した状態で該ペーパーロールＰからペーパーＰａを引き出して巻き戻す場合において生じ得る、巻き戻し抵抗の過大に起因するペーパー切れとか、巻き戻し抵抗の過小に起因するペーパーの弛みが未然に防止される。
【００３３】
駆動手段８の構成
上記駆動手段８は、上記ケース２の一方の側面壁２aの内側に固定されたブラケット３１に取付けられた駆動軸１９を備えている。この駆動軸１９には、その先端部にガイドピン１７を設けた回動アーム１８と所定径のプーリ２１がそれぞれ取付けられるとともに、該駆動軸１９の一端は上記側面壁２aを貫通して外部へ突出しており、この突出端には円板状形体をもつハンドル２０が取付けられている。
【００３４】
上記回動アーム１８は、上記駆動軸１９の回転力を次述の折り重ね手段１０側へ伝達するものであって、その先端側にはガイドピン１７が取付けられている。
【００３５】
また、上記プーリ２１は、上記駆動軸１９の回転力を上記巻戻し手段９側へ伝達するためのものであって、上記ブラケット３２に支承された中間軸３７に取付けたプーリ２２Ａとの間にベルト２４を掛け回すとともに、該中間軸３７に取付けたプーリ２２Ｂと上記回転軸２６に取付けたプーリ２３の間にベルト２５を掛け回すことで、上記駆動軸１９の回転力が上記回転軸２６に伝達されるようになっている。
【００３６】
尚、この実施形態では、上記駆動軸１９に上記ハンドル２０を取付け、該ハンドル２０を手動操作により回転させる手動式としているが、本願発明の他の実施形態においては、図１に鎖線図示するように、上記駆動軸１９に、上記ハンドル２０に代えて、モータ３９を取り付け、該モータ３９の駆動力によって上記駆動軸１９を回転させる電動式とすることもできるものである。
【００３７】
折り重ね手段１０の構成
上記折り重ね手段１０は、上記巻戻し手段９によって上記ペーパー支持具４に支持されたペーパーロールＰから巻き戻されて順次下方へ自然降下するペーパーＰａを、上記ペーパー載置台３上に所定幅で多層に折り重ねせるものであって、上記駆動手段８側の上記ガイドピン１７が係入するガイド溝１３をもつスライダー１１を備えている。
【００３８】
上記スライダー１１は、所定長さのレバー体で構成されるもので、その長軸位置には上記ガイド溝１３が形成されている。そして、このスライダー１１は、その長軸方向を上下方向に向けた立設状態で、上記ケース２の奥行き方向（図２の矢印Ａ−Ｂ方向）に平行移動可能とされている。即ち、上記ケース２の内室７の上記駆動手段８の近傍には、上下方向に所定間隔をもってケース奥行き方向に延びる上下一対のガイドバー１２，１２が設けられており、この一対のガイドバー１２，１２に上記スライダー１１の上下両端部がそれぞれ摺動可能に挿通されることで、該スライダー１１は上記ケース２の奥行き方向に平行移動可能とされている。そして、このスライダー１１は、そのガイド溝１３内に係入している上記ガイドピン１７が上記駆動軸１９の回転に伴って上記回動アーム１８の軸長を回転半径として一定方向（図２の矢印Ｒ方向）へ円運動を行うことで、上記一対のガイドバー１２，１２に沿って矢印Ａ−Ｂ方向へ往復動することになる。
【００３９】
このスライダー１１の矢印Ａ−Ｂ方向への往復動を上記ペーパーＰａの折り重ね作用に利用するために、該スライダー１１の上下方向中段位置には、該スライダー１１から上記開口部６を横切って（即ち、上記ペーパーロールＰから巻き戻されるペーパーＰａを幅方向に横切って）上記ケース２の他方側の側面壁２aに向かって延びるようにして移動バー１６が取付けられている。従って、上記移動バー１６は、上記スライダー１１が矢印Ａ−Ｂ方向へ往復動するとき、上記ペーパーＰａを幅方向に横切って往復動することになる。尚、上記移動バー１６の他端側は、上記ケース２の奥行き方向に向けて配置した支持バー１４によって摺動可能に支持されている。
【００４０】
さらに、上記スライダー１１の下端部には、上記移動バー１６と略平行に延びるカッター３４の一端が取付けられている。このカッター３４の他端は、上記支持バー１４と略平行に配置された支持バー１５によって、摺動可能に支持されている。
【００４１】
ペーパーホルダーの使用方法等
ここで、上記ペーパーホルダー１の使用方法等について説明する。
【００４２】
上記ペーパーホルダー１の使用に際しては、先ず、上記ペーパー支持具４にペーパーロールＰを装着するが、この装着時には該ペーパーロールＰによって上記回転軸２６が、上記スプリング３５の付勢力に抗して矢印Ｅ方向へ回動され、該ペーパーロールＰの装着完了状態では、上記ペーパーロールＰの上面に上記回転軸２６側の上記ゴムリング３０が所定の押圧力で接触される。即ち、上記ペーパーロールＰの装着動作に連動して自動的に上記巻戻し手段９が作動可能状態とされる。
【００４３】
上記ペーパーロールＰを上記ペーパー支持具４に装着した後、上記ハンドル２０を回転操作して該ペーパーロールＰからペーパーＰａを巻き戻して、その始端を上記移動バー１６の奥側を通して下方へ所定量引き出しておく。以上で、事前操作が完了する。
【００４４】
実際の使用に際しては、使用者は上記ハンドル２０を所定回数回転させれば良い。このハンドル２０の回転操作においては、該ハンドル２０が比較的大きな円板状形態をもつことから、例えば、これが棒ハンドルである場合に比して、操作が容易且つ確実であり、特に身体的弱者が操作する場合にはその効果が顕著なものである。
【００４５】
上記ハンドル２０の回転操作によって上記ペーパーロールＰからペーパーＰａが所定速度で順次巻き戻されるとき、該ペーパーＰａの手前側でこれを幅方向に横切って配置された上記移動バー１６も上記ハンドル２０の操作力を受けて矢印Ａ−Ｂ方向に往復動することから、該移動バー１６から下方へ繰り出される上記ペーパーＰａは、その降下位置が矢印Ａ−Ｂ方向へ交互に移動し、その結果、上記ペーパー載置台３上において順次折り重ねられて、折り重ねペーパーＰｂとされる。
【００４６】
この際、上記ペーパーＰａの折り重ね作用が、上記スライダー１１の移動方向の両端寄りでその移動速度が最も小さい移動領域で行われることから、上記ペーパーＰａは乱れること無く整然と折り重ねられる。また、上記ペーパーＰａは上記移動バー１６の平行移動によって折り重ねられるが、該ペーパーＰａと上記移動バー１６との接触面積は小さく、これらの間に摩擦抵抗が殆ど働かず、摩擦抵抗によって上記ペーパーＰａの折り重ね作用が阻害されるということはない。
【００４７】
上記ハンドル２０の操作によって上記ペーパー載置台３上に所要枚数の折り重ねペーパーＰｂができれば、使用者は上記ハンドル２０の操作を停止し、上記折り重ねペーパーＰｂを掴んでそのまま手前に引き出せば、上記カッター３４によって上記ペーパーＰａが切断され、上記折り重ねペーパーＰｂの使用が可能となる。この場合、上記スライダー１１に上記カッター３４を取付けているので、上記スライダー１１がその移動範囲のどの位置において停止した場合でも、上記ペーパーＰａは常に上記カッター３４の近傍に位置することとなり、ペーパーＰａをカッター３４で容易且つ確実に切断することができるものである。
【図面の簡単な説明】
【００４８】
【図１】本願発明の実施形態に係るペーパーホルダーの一部断面正面図である。
【図２】図１のＩＩ−ＩＩ断面図である。
【符号の説明】
【００４９】
１    ・・ペーパーホルダー
２    ・・ケース
３    ・・ペーパー載置台
４    ・・ペーパー支持具
５    ・・カバー
６    ・・開口部
８    ・・駆動手段
９    ・・巻戻し手段
１０    ・・折り重ね手段
１１    ・・スライダー
１２    ・・ガイドバー
１３    ・・ガイド溝
１４    ・・支持バー
１５    ・・支持バー
１６    ・・移動バー
１７    ・・ガイドピン
１８    ・・回動アーム
１９    ・・駆動軸
２０    ・・ハンドル
２１    ・・プーリ
２２    ・・プーリ
２３    ・・プーリ
２４    ・・ベルト
２５    ・・ベルト
２６    ・・回転軸
２７    ・・揺動アーム
２８    ・・揺動アーム
２９    ・・回転体
３０    ・・ゴムリング
３１    ・・ブラケット
３２    ・・ブラケット
３３    ・・ブラケット
３４    ・・カッター
３５    ・・スプリング
３９    ・・モータ
４１    ・・ブラケット
４２    ・・支持爪
【図１】
2007144043.tif 000003
【図２】
2007144043.tif 000004